(57)【要約】      （修正有）【課題】タッチ検知の感度に対する寄生容量による影響を改善し、かつ、タッチディスプレイデバイスの製造コストを低減させる、ソース駆動回路とタッチ検知回路を含むタッチディスプレイ駆動回路を提供する。【解決手段】ソース駆動回路１０は、タッチディスプレイパネルの複数のソースラインＳ０〜Ｓ３に接続されている。タッチディスプレイ駆動回路は、タッチ検知周期において、複数のソースラインのうちの１つのソースラインにタッチ駆動信号ＴＸを出力する。タッチ検知回路２０は、ソースラインに対応するコモン電極ｃｏｍ０〜ｃｏｍ３５を介して、複数のタッチセンシング信号を受信する。複数のタッチセンシング信号は、タッチ駆動信号に応じて生成されている。【選択図】図１
2019053724.tif 000002
【特許請求の範囲】
【請求項１】
タッチディスプレイ駆動回路であって、
タッチディスプレイパネルの複数のソースラインに接続されているソース駆動回路と、
タッチ検知回路と、を含んでおり、
前記タッチディスプレイ駆動回路は、タッチ検知周期において、前記複数のソースラインのうちの１つのソースラインにタッチ駆動信号を出力し、
前記タッチ検知回路は、前記複数のソースラインに対応するコモン電極を介して、複数のタッチセンシング信号を受信し、
前記複数のタッチセンシング信号は、前記タッチ駆動信号に応じて生成されている、タッチディスプレイ駆動回路。
【請求項２】
前記タッチディスプレイ駆動回路は、前記複数のソースラインのうちのその他のソースラインにソースアクティブガード信号を出力する、請求項１に記載のタッチディスプレイ駆動回路。
【請求項３】
前記ソースアクティブガード信号は、前記タッチ駆動信号と同位相である、請求項２に記載のタッチディスプレイ駆動回路。
【請求項４】
前記複数のソースラインのうちのその他のソースラインに接続されている、前記ソース駆動回路の複数の出力端子を、フローティングさせることにより、前記複数のソースラインのうちの前記その他のソースラインを、フローティングさせる、請求項１に記載のタッチディスプレイ駆動回路。
【請求項５】
前記タッチディスプレイ駆動回路は、タッチディスプレイパネルの複数の走査ラインに接続されているゲート駆動回路を含んでおり、
前記ゲート駆動回路は、前記タッチ検知周期において、前記複数の走査ラインにゲートアクティブガード信号を出力する、請求項１に記載のタッチディスプレイ駆動回路。
【請求項６】
前記ゲートアクティブガード信号は、前記タッチ駆動信号と同位相である、請求項５に記載のタッチディスプレイ駆動回路。
【請求項７】
前記タッチディスプレイ駆動回路は、タッチディスプレイパネルの複数の走査ラインに接続されているゲート駆動回路をさらに含んでおり、
前記タッチ検知周期において、前記ゲート駆動回路の複数の出力部をフローティングさせることにより、前記複数の走査ラインをフローティングさせる、請求項１に記載のタッチディスプレイ駆動回路。
【請求項８】
前記複数のソースラインのうちのその他のソースラインに接続されている、前記ソース駆動回路の複数の出力端子のそれぞれは、
（ｉ）複数のソースアクティブガード信号を出力するか、または、
（ｉｉ）フローティングさせられており、
前記ゲート駆動回路の複数の出力部のそれぞれは、
（ｉ）複数のゲートアクティブガード信号を出力するか、または、
（ｉｉ）フローティングさせられている、請求項１に記載のタッチディスプレイ駆動回路。
【請求項９】
ゲート駆動回路および前記ソース駆動回路はそれぞれ、タッチディスプレイパネルの複数の走査ラインおよび複数のソースラインに接続されており、
前記ゲート駆動回路は、フレーム表示周期において、前記複数の走査ラインに複数の走査信号を出力し、
前記ソース駆動回路は、前記フレーム表示周期において、前記複数のソースラインに複数のソース信号を出力する、請求項１に記載のタッチディスプレイ駆動回路。
【請求項１０】
タッチ対象物がタッチディスプレイパネルに接触していない場合には、前記タッチセンシング信号が第１レベルとなり、
前記タッチ対象物が前記タッチディスプレイパネルに接触している場合には、前記タッチセンシング信号が第２レベルとなり、
前記第２レベルは、前記第１レベルよりも低いレベルである、請求項１に記載のタッチディスプレイ駆動回路。
【請求項１１】
タッチディスプレイ駆動回路であって、
タッチディスプレイパネルの複数のソースラインに接続されているソース駆動回路と、
タッチ検知回路と、を含んでおり、
前記ソース駆動回路は、タッチ検知周期において、前記複数のソースラインのうちの１つのソースラインにタッチ駆動信号を出力し、
前記タッチ検知回路は、前記複数のソースラインに対応するコモン電極を介して、複数のタッチセンシング信号を受信し、
前記複数のタッチセンシング信号は、前記タッチ駆動信号に応じて生成されている、タッチディスプレイ駆動回路。
【請求項１２】
タッチディスプレイ駆動回路であって、
タッチディスプレイパネルの複数のソースラインに接続されているソース駆動回路と、
前記複数のソースラインに接続されているタッチ検知回路と、を含んでおり、
前記タッチ検知回路は、
タッチ検知周期において、前記複数のソースラインのうちの１つのソースラインにタッチ駆動信号を出力し、かつ、
前記複数のソースラインに対応するコモン電極を介して、複数のタッチセンシング信号を受信し、
前記複数のタッチセンシング信号は、前記タッチ駆動信号に応じて生成されている、タッチディスプレイ駆動回路。
【請求項１３】
タッチディスプレイ駆動回路であって、
タッチディスプレイパネルの複数のソースラインに接続されているソース駆動回路と、
前記ソース駆動回路に接続されているタッチ検知回路と、を含んでおり、
前記タッチ検知回路は、
タッチ検知周期において、前記ソース駆動回路を介して、前記複数のソースラインのうちの１つのソースラインにタッチ駆動信号を出力し、かつ、
前記複数のソースラインに対応するコモン電極を介して、複数のタッチセンシング信号を受信し、
前記複数のタッチセンシング信号は、前記タッチ駆動信号に応じて生成されている、タッチディスプレイ駆動回路。
【発明の詳細な説明】
【技術分野】
【０００１】
本発明は、駆動回路に関し、特に、寄生容量（寄生キャパシタンス）による影響を低減するためのタッチディスプレイ駆動回路に関する。
【背景技術】
【０００２】
タッチディスプレイデバイスの普及に伴い、様々な要求に応じて、様々なタイプのタッチディスプレイデバイスが開発されている。例えば、インセル（in-cell）技術およびアウトセル（out-cell）技術は、モバイル型デバイスの薄型化という要求を満たすために、タッチディスプレイデバイスを様々な態様において改良する。インセル型タッチディスプレイデバイスは、タッチセンサが液晶ディスプレイ（ＬＣＤ）パネル内に埋設され、高度に集積された設計である。当該設計型は、片面型設計と両面型設計とに分けられている。片面型（single side）のタッチセンサでは、ＴＸ電極／ＲＸ電極が同一層内（例：カラーフィルタの下面に覆われるセンシング層内）に集積されている。両面型（Double side）タッチセンサでは、ＴＸ電極／ＲＸ電極がそれぞれ液晶層の構造体の上方および下方に設けられている。従って、製造プロセスの観点からは、片面型タッチセンサの構造の設計は、両面型タッチセンサの場合よりも単純であるため、製造工程をより簡略化できる。
【０００３】
しかし、片面型にせよ、両面型にせよ、タッチセンサのインセル設計では、パネルの製造工程において高度な集積を行う必要がある。さらに、タッチ信号の抽出信号の品質が、表示信号の影響を受けることを考慮する必要がある。また、タッチ検知の感度に対する、液晶ディスプレイパネル内の寄生容量による影響についても、考慮する必要がある。そのため、インセル型タッチディスプレイデバイスの設計は、難しくなる。現在、タッチ信号に対する干渉を改善するための関連技術として、例えば米国特許ＵＳ９，１６４，６４１Ｂ１、中国特許ＣＮ１０２９２９４６０ＢおよびＣＮ２０２８８７１５４Ｕ等に記載の技術がある。これらの技術は、通常、タッチディスプレイ駆動回路の外部に、保護回路、カップリングキャパシタ、および各回路を設け、アクティブガード信号（Active Guard Signal）を生成し伝送することにより、寄生容量による影響を改善している。しかし、当該解決策は、タッチディスプレイデバイスの製造コストを増加させる。さらに、通常では、付加的に設けられたカップリングキャパシタによってタッチ駆動信号（ＴＸ）が生成され、当該タッチ駆動信号はコモン電極（ＣＯＭ）へ伝送される。このことは、タッチディスプレイデバイスの製造コストをさらに増加させる。
【０００４】
そこで、本発明は、タッチ検知の感度に対する寄生容量による影響を改善し、かつ、タッチディスプレイデバイスの製造コストを低減させるためのタッチディスプレイ駆動回路を提供する。
【発明の概要】
【発明が解決しようとする課題】
【０００５】
本発明の目的は、タッチ検知の検度に対する寄生容量による影響を、改善するためのタッチディスプレイ駆動回路を提供することにある。
【０００６】
本発明は、ソース駆動回路とタッチ検知回路とを含むタッチディスプレイ駆動回路を開示する。前記ソース駆動回路は、タッチディスプレイパネルの複数のソースラインに接続されている。前記タッチディスプレイ駆動回路は、タッチ検知周期において、前記複数のソースラインのうちの１つのソースラインにタッチ駆動信号を出力する。前記タッチ検知回路は、当該ソースラインに対応するコモン電極を介して、複数のタッチセンシング信号を受信する。前記複数のタッチセンシング信号は、前記タッチ駆動信号に応じて生成されている。
【０００７】
前記タッチディスプレイ駆動回路は、前記複数のソースラインのうちのその他のソースラインにソースアクティブガード信号を出力する。あるいは、前記複数のソースラインのうちのその他のソースラインをフローティング（floating）状態にするために、前記ソース駆動回路の複数の出力端子は、フローティング状態にある。
【０００８】
前記複数のソースラインのうちのその他のソースラインに接続されている、前記ソース駆動回路の前記複数の出力端子のそれぞれは、（ｉ）複数のソースアクティブガード信号を出力するか、または、（ｉｉ）フローティング状態にある。ゲート駆動回路の複数の出力端子のそれぞれは、（ｉ）複数のゲートアクティブガード信号を出力するか、または、（ｉｉ）フローティング状態にある。
【０００９】
さらに、タッチディスプレイ駆動回路は、前記タッチディスプレイパネルの複数の走査ラインに接続されているゲート駆動回路を含む。前記タッチ検知周期において、前記ゲート駆動回路は、前記複数の走査ラインにゲートアクティブガード信号を出力する。あるいは、前記ゲート駆動回路は、前記タッチディスプレイパネルの前記複数の走査ラインに接続されている。前記タッチ検知周期において、前記ゲート駆動回路の前記複数の出力端子は、フローティングさせられている。その結果、前記複数の走査ラインを、同様にフローティングさせることができる。
【図面の簡単な説明】
【００１０】
【図１】本発明の実施形態１に係るタッチディスプレイ駆動回路の概略図を示す。
【図２】本発明の一実施形態に係るタッチセンシング信号検知のための概略図を示す。
【図３】本発明の実施形態２に係るタッチディスプレイ駆動回路の概略図を示す。
【図４】本発明の実施形態３に係るタッチディスプレイ駆動回路の概略図を示す。
【発明を実施するための形態】
【００１１】
本明細書および添付の特許請求の範囲において、特定のデバイスを指す用語が使用されるが、本発明の技術分野の当業者が理解できるように、製造者によっては異なる用語で同一のデバイスを表すことがある。本明細書および添付の特許請求の範囲は、名称の相違で各デバイスを区別するのではなく、機能上の相違を各デバイスの区別の基準とする。本明細書の全体および添付の特許請求の範囲に記載の「含む」とは、オープンランゲージであり、「〜を含むが、これに限定されない」と解釈すべきである。さらに「接続する」とは、直接的および間接的なあらゆる電気的接続を含む。よって、例えば「第１デバイスが第２デバイスに接続されている」と記載される場合、第１デバイスは、直接的に第２デバイスに電気的に接続されていてもよいし、あるいは、別のデバイスまたは別の接続手段を介して第２デバイスに電気的に接続されていてもよい。
【００１２】
本発明の構成および効果が、より一層理解かつ認識されるように、以下の実施形態および図面に沿って、本発明の詳細な説明が提供される。
【００１３】
図１を参照する。図１は、本発明の実施形態１に係るタッチディスプレイ駆動回路の概略図を示す。図示のように、タッチディスプレイ駆動回路は、ソース駆動回路１０とタッチ検知回路２０とを含む。ソース駆動回路１０は、タッチディスプレイパネルの複数のソースラインＳ０、Ｓ１、Ｓ２、Ｓ３に接続されている。当該複数のソースラインＳ０、Ｓ１、Ｓ２、Ｓ３は、タッチディスプレイパネルの複数の画素電極に接続されている。図１の場合、複数の画素電極は、複数のコモン電極ｃｏｍ０〜ｃｏｍ３５の下側に位置するが、図示されていない。図１は、単に技術内容を説明するために使用されているにすぎず、画素電極およびコモン電極の位置を限定するために使用されているのではない。さらに、通常では、ソース駆動回路１０は、より多数のソースラインに接続されている。しかしながら、簡単のため、本実施形態および各図面では、ソースラインＳ０、Ｓ１、Ｓ２、Ｓ３のみを挙げて説明する。但し、ソース駆動回路１０に接続されるソースラインの数は、４つに限定されない。複数のソースラインＳ０〜Ｓ３は、それぞれ寄生容量ＣＳ０、ＣＳ１、ＣＳ２、ＣＳ３を介して、複数のコモン電極ｃｏｍ０〜ｃｏｍ３５に接続されている。具体的には、（ｉ）コモン電極ｃｏｍ０と、（ｉｉ）当該コモン電極ｃｏｍ０に対応する画素電極に接続されているソースラインＳ０と、の間には、寄生効果に起因する寄生容量ＣＳ０が存在している。また、同一のソースラインＳ０において、別のコモン電極ｃｏｍ１とソースラインＳ０との間には、寄生効果に起因する別の寄生容量ＣＳ０’が存在している。さらに、別のソースラインＳ１において、（ｉ）コモン電極ｃｏｍ０と、（ｉｉ）当該コモン電極ｃｏｍ０に対応する画素電極に接続されている別のソースラインＳ１と、の間には、寄生効果に起因する寄生容量ＣＳ１が存在する。なお、残りのコモン電極とソースラインとの間の寄生容量は、同一の原則に従って存在する。従って、さらなる詳細については説明を省略する。
【００１４】
フレーム表示周期において、ソース駆動回路１０は、複数の画素電極を駆動し、かつ、タッチディスプレイパネルにフレームを表示させるために、複数のソースラインＳ０〜Ｓ３に複数のソース信号ＶＳを出力する。また、タッチ検知周期において、ソース駆動回路１０は、複数のソースラインＳ０〜Ｓ３のうちの１つのソースライン（例えば図１のソースラインＳ０）にタッチ駆動信号ＴＸを出力する。ソースラインＳ０上のタッチ駆動信号ＴＸは、寄生容量ＣＳ０、ＣＳ０’、…、のカップリング作用により、コモン電極ｃｏｍ０〜ｃｏｍ３５に接続（結合）されうる。これにより、タッチ検知回路２０は、複数のタッチ検知ラインＲＸ０〜ＲＸ３５を介して、複数のコモン電極ｃｏｍ０〜ｃｏｍ３５上のタッチセンシング信号ＶＴをそれぞれ検知する。複数のタッチセンシング信号ＶＴは、タッチ駆動信号ＴＸに基づいて生成される。例を挙げると、タッチ対象物（タッチ物体）（例えば指またはタッチペン）がタッチディスプレイパネルに接触（タッチ）していないとき、タッチセンシング信号ＶＴは第１レベルとなる。前記タッチ対象物がタッチディスプレイパネルに接触しているとき、タッチセンシング信号ＶＴは、第２レベルとなる。当該第２レベルは、第１レベルよりも低いレベルである。このように、タッチセンシング信号ＶＴは、コモン電極ｃｏｍ０〜ｃｏｍ３５がタッチ対象物によってタッチされているか否かを判定するために、用いられうる。
【００１５】
本実施形態において、タッチ検知回路２０は、ソース駆動回路１０を介してタッチ駆動信号ＴＸを複数のソースラインＳ０〜Ｓ３に出力するために、当該ソース駆動回路１０に接続されていてもよい。但し、本発明の別の実施形態では、タッチ検知回路２０は、タッチ駆動信号ＴＸを直接的に複数のソースラインＳ０〜Ｓ３に出力するために、当該複数のソースラインＳ０〜Ｓ３に接続されていてもよい。また、本発明の別の実施形態において、タッチ駆動信号ＴＸを生成するとともに、当該タッチ駆動信号ＴＸを複数のソースラインＳ０〜Ｓ３に出力するように、ソース駆動回路１０を利用できるように、タッチ検知回路とディスプレイ駆動回路とを集積させてもよい。
【００１６】
さらに、複数のソースラインＳ０〜Ｓ３は、ディスプレイパネル上の、互いに隣接している、または、互いに隣接していない、（例：特定の間隔を有している）複数のソースラインであってよい。また、本発明の一部の実施形態において、タッチ駆動信号ＴＸは、複数のソースラインに同時に出力されてもよい。例を挙げると、同列の画素において、赤色、緑色、および青色を含む各色（異なる色）に対応するソース信号ＶＳを伝送するための複数のソースライン間の距離は、非常に近接している。このため、タッチ駆動信号ＴＸは、同列の画素における各色に対応するソースラインへと同時に出力されてもよい。
【００１７】
本発明では、既存のソースラインＳ０は、タッチ駆動信号ＴＸを伝送するために使用される。そして、当該ソースラインＳ０とコモン電極ｃｏｍ０〜ｃｏｍ３５との間の寄生容量ＣＳ０、ＣＳ０’、…、は、タッチ駆動信号ＴＸをコモン電極ｃｏｍ０〜ｃｏｍ３５に接続するために使用される。従って、タッチ駆動信号（ＴＸ）をコモン電極（ＣＯＭ）に伝送するために付加的に設けられたカップリングキャパシタが必要となる従来技術とは異なり、本発明の実施形態によれば、タッチ駆動信号ＴＸを伝送するための回路およびキャパシタを省略できる。このため、タッチディスプレイデバイスのコストを低減できる。
【００１８】
さらに、従来技術では、ディスプレイパネル内の様々な寄生容量（ソースラインとコモン電極との間の寄生容量を含む）を低減させる必要がある。あるいは、従来技術では、寄生容量による作用を改善し、タッチ検知の感度に対する寄生容量による影響を低減させるために、アクティブガード信号（Active Guard Signal）が寄生容量の他端（他方の端子）に印加されうる。これに対し、本発明の実施形態によれば、ソースラインとコモン電極との間の寄生容量を介して、タッチ駆動信号ＴＸを直接的にコモン電極に接続（結合）させることができる。このため、信号の伝送は、ソースラインとコモン電極との間の寄生容量を利用して行われる。従って、寄生容量は、タッチ検知の感度に影響を及ぼさない。
【００１９】
図１を再び参照する。タッチディスプレイ駆動回路は、ゲート駆動回路３０をさらに含んでいてもよい。当該ゲート駆動回路３０は、複数の走査ラインＧ０、Ｇ１、…、Ｇｎに接続されている。そして、当該の複数の走査ラインは、タッチディスプレイパネルに接続されている。フレーム表示周期において、ゲート駆動回路３０は、タッチディスプレイパネルを走査するために、複数の走査ラインＧ０、Ｇ１、…、Ｇｎに、複数のゲート信号ＶＧを出力する。図１の実施形態において、１つのソースラインＳ０上の１つのコモン電極ｃｏｍ０を例として説明する。本実施形態の等価回路は、図２の通り示されうる。寄生作用により、コモン電極ｃｏｍ０と複数の走査ラインとの間に、寄生容量が存在する。例えば、コモン電極ｃｏｍ０とその隣接する走査ラインＧ０との間には、コモン電極ｃｏｍ０と他の走査ラインとの間に比べ、比較的大きい寄生容量ＣＧＯが存在する。そこで、タッチ検知の感度に対する、寄生容量ＣＧＯの影響を避けるために、タッチ検知周期において、ゲートアクティブガード信号Ｇａｇが走査ラインＧ０、Ｇ１、…、Ｇｎへと出力されてもよい。また、ゲートアクティブガード信号Ｇａｇは、タッチ駆動信号ＴＸと同位相であってもよく（位相が一致していてもよく）、かつ、当該タッチ駆動信号ＴＸと同じ電圧レベルを有してもよい。例えば、当該ゲートアクティブガード信号Ｇａｇおよび当該タッチ駆動信号ＴＸはいずれも、正弦波または方形波であってよい。
【００２０】
このように、本実施形態では、ゲート駆動回路３０は、ゲートアクティブガード信号Ｇａｇを、寄生容量ＣＧＯの一端（一方の端子）に出力する。その一方で、当該寄生容量ＣＧＯの他端は、コモン電極ｃｏｍ０に接続されており、タッチ駆動信号ＴＸを受信（取得）する。タッチ駆動信号ＴＸとゲートアクティブガード信号Ｇａｇとは、同位相であり、かつ、同じ電圧レベルを有していてもよい。このため、寄生容量ＣＧＯを無視することができる。
【００２１】
さらに、コモン電極ｃｏｍ０におけるタッチセンシング信号ＶＴを検知するためにタッチ検知ラインＲＸ０が用いられる場合、タッチ検知ラインＲＸ０と他のコモン電極ｃｏｍ１〜ｃｏｍ３５との間には、寄生容量ＣＸ１〜ＣＸ３５が存在する。これらの複数の寄生容量ＣＸ１〜ＣＸ３５は、ディスプレイパネル内部の寄生作用によって、他のソースラインＳ１、Ｓ２、Ｓ３に接続されうる。そこで、タッチ検知感度に対する、寄生容量ＣＸ１〜ＣＸ３５による影響を避けるために、ソースアクティブガード信号Ｓａｇが、タッチ検知のために使用されていない複数のソースラインＳ１、Ｓ２、Ｓ３に出力されてもよい。言い換えれば、ソース駆動回路１０は、（ｉ）複数のソースラインＳ０、Ｓ１、Ｓ２、Ｓ３のうちの１つにタッチ駆動信号ＴＸを出力するとともに、（ｉｉ）タッチ駆動信号ＴＸを受信する当該ソースラインＳ０を除いた、その他のソースラインＳ１、Ｓ２、Ｓ３にソースアクティブガード信号Ｓａｇを出力する。これにより、タッチ検知の感度に対する、タッチディスプレイパネル内の寄生容量による影響を低減できる。また、ソースアクティブガード信号Ｓａｇは、とタッチ駆動信号ＴＸと同位相であり、かつ、当該タッチ駆動信号ＴＸと同じ電圧レベルを有していてもよい。例えば、当該ソースアクティブガード信号Ｓａｇと当該タッチ駆動信号ＴＸはいずれも、正弦波または方形波であってもよい。
【００２２】
このように、本実施形態では、ソース駆動回路１０は、複数の寄生容量ＣＸ１〜ＣＸ３５のそれぞれの一端にソースアクティブガード信号Ｓａｇを出力する。その一方で、当該複数の寄生容量ＣＸ１〜ＣＸ３５のそれぞれの他端は、コモン電極ｃｏｍ０に接続されており、タッチ駆動信号ＴＸを受信する。タッチ駆動信号ＴＸとソースアクティブガード信号Ｓａｇとは、同位相であり、かつ、同じ電圧レベルを有していてもよい。このため、寄生容量ＣＸ１〜ＣＸ３５を無視することができる。言い換えれば、指がタッチディスプレイパネルに接触した後、タッチセンシング信号ＶＴの変動は、（ｉ）ソースラインＳ０とコモン電極ｃｏｍ０との間の寄生容量ＣＳ０と、（ｉｉ）指の容量（キャパシタンス）ＣＦと、の比率のみによってしか影響を受けない。このため、タッチ検知の感度を高く維持できる。
【００２３】
タッチ検知の感度に対するタッチディスプレイパネル内の寄生容量による影響を低減させるように、複数のソースラインＳ０〜Ｓ３と複数の走査ラインＧ０〜Ｇｎとを駆動するためのタッチディスプレイ駆動回路には、複数の実施形態が存在する。図３を参照する。図３は、本発明の実施形態２に係るタッチディスプレイ駆動回路の概略図を示す。図示のように、タッチディスプレイ駆動回路は、タッチ検知周期において、（ｉ）複数のソースラインのうちの１つのソースライン（すなわちソースラインＳ０）にタッチ駆動信号ＴＸを出力する。その他のソースラインＳ０〜Ｓ３と複数の走査ラインＧ０〜Ｇｎとは、フローティング（floating）状態に維持される。言い換えれば、ソース駆動回路１０の複数の出力部のうちの１つは、ソースラインＳ０にタッチ駆動信号ＴＸを出力する。ソース駆動回路１０の複数の出力部のうちのその他の出力部は、フローティング状態にあってよい。その結果、その他のソースラインＳ１〜Ｓ３についても、フローティング状態にすることができる。同様に、ゲート駆動回路３０の複数の出力部は、フローティング状態にあってよい。その結果、複数の走査ラインＧ０〜Ｇｎをフローティング状態にすることができる。
【００２４】
図４を参照する。図４は、本発明の実施形態３に係るタッチディスプレイ駆動回路を概略的に示す。図示のように、ゲート駆動回路３０の複数の出力部は、（ｉ）ゲートアクティブガード信号Ｇａｇを出力してもよいし、または、（ｉｉ）フローティングさせられていてもよい。タッチ検知を実行し、かつ、タッチ駆動信号ＴＸを伝送するソースラインＳ０を除けば、残りのソースラインＳ１、Ｓ２、Ｓ３は、（ｉ）ソースアクティブガード信号Ｓａｇを伝送してもよいし、または、（ｉｉ）フローティングさせられてもよい。また、図１から図３までの実施形態において、ソース駆動回路１０、タッチ検知回路２０、およびゲート駆動回路３０を集積し、タッチディスプレイ駆動チップを形成してもよい。
【００２５】
以上をまとめると、本発明は、ソース駆動回路とタッチ検知回路とを含むタッチディスプレイ駆動回路を開示する。前記ソース駆動回路は、タッチディスプレイパネルの複数のソースラインに接続されている。前記タッチディスプレイ駆動回路は、タッチ検知周期において、前記複数のソースラインのうちの１つのソースラインにタッチ駆動信号を出力する。前記タッチ検知回路は、当該ソースラインに対応するコモン電極を介して、複数のタッチセンシング信号を受信する。前記複数のタッチセンシング信号は、前記タッチ駆動信号に応じて生成されている。
【００２６】
前記タッチディスプレイ駆動回路は、前記複数のソースラインのうちのその他のソースラインにソースアクティブガード信号を出力する。あるいは、前記複数のソースラインのうちのその他のソースラインをフローティング（floating）状態にするために、前記ソース駆動回路の複数の出力端子は、フローティング状態にある。
【００２７】
前記複数のソースラインのうちのその他のソースラインに接続されている、前記ソース駆動回路の前記複数の出力端子のそれぞれは、（ｉ）複数のソースアクティブガード信号を出力するか、または、（ｉｉ）フローティング状態にある。ゲート駆動回路の複数の出力端子のそれぞれは、（ｉ）複数のゲートアクティブガード信号を出力するか、または、（ｉｉ）フローティング状態にある。
【００２８】
さらに、タッチディスプレイ駆動回路は、前記タッチディスプレイパネルの複数の走査ラインに接続されているゲート駆動回路を含む。前記タッチ検知周期において、前記ゲート駆動回路は、前記複数の走査ラインにゲートアクティブガード信号を出力する。あるいは、前記ゲート駆動回路は、前記タッチディスプレイパネルの前記複数の走査ラインに接続されている。前記タッチ検知周期において、前記ゲート駆動回路の前記複数の出力端子は、フローティングさせられている。その結果、前記複数の走査ラインを、同様にフローティングさせることができる。
【符号の説明】
【００２９】
１０    ソース駆動回路
２０    タッチ検知回路
３０    ゲート駆動回路
ＣＦ    指の容量
ＣＧＯ    寄生容量
Ｇｎ    走査ライン
ｃｏｍ０    コモン電極
ｃｏｍ１    コモン電極
ｃｏｍ３５    コモン電極
ＣＳ０    寄生容量
ＣＳ０’    寄生容量
ＣＳ１    寄生容量
ＣＳ１’    寄生容量
ＣＳ２    寄生容量
ＣＳ２’    寄生容量
ＣＳ３    寄生容量
ＣＳ３’    寄生容量
ＣＸ１    寄生容量
ＣＸ３５    寄生容量
Ｇ０    走査ライン
Ｇ１    走査ライン
Ｇｎ    走査ライン
Ｇａｇ    ゲートアクティブガード信号
Ｒ１    等価抵抗
Ｒ２    等価抵抗
ＲＸ０    タッチ検知ライン
ＲＸ１    タッチ検知ライン
ＲＸ３５    タッチ検知ライン
Ｓ０    ソースライン
Ｓ１    ソースライン
Ｓ２    ソースライン
Ｓ３    ソースライン
Ｓａｇ    ソースアクティブガード信号
ＴＸ    タッチ駆動信号
ＶＧ    走査信号
ＶＳ    ソース信号
ＶＴ    タッチセンシング信号
【図１】
2019053724.tif 000003
【図２】
2019053724.tif 000004
【図３】
2019053724.tif 000005
【図４】
2019053724.tif 000006
【外国語明細書】
2019053724000001.pdf